(57)【要約】【課題】騒音の大きな現場においても目視で遮水シートの欠陥箇所を検知することができ、しかも防水シートを二重にして敷設することなく欠陥箇所の検知が可能な防水シートの欠陥箇所検知方法を提供する。【解決手段】下地１に機械式固定方法でプレート２を用いて固定する防水構造における防水シート１の欠陥箇所検知方法において、防水シート４の一部を下地１と密着７させることにより防水シート４と下地１との間に通気層８を形成し、該通気層８内部に冷気を強制的に流入させている状態で防水シート１の表面温度をサーモグラフィ１３によって観察し、欠陥箇所Ｋから外気が通水層８内に入り込むことによる防水シート１の温度変化を捉えることで防水シートの欠陥を検知する。【選択図】  図３
2006234684.tif 000002
【特許請求の範囲】
【請求項１】
下地上に敷設された防水シートを下地に固定したプレートに接着することによって、防水シートを下地に固定する防水構造における防水シートの欠陥箇所検知方法において、防水シートの一部を下地と密着させることにより防水シートと下地との間に通気層を形成し、該通気層内部に冷気を強制的に流入させている状態で防水シートの表面温度をサーモグラフィによって観察し、欠陥箇所から外気が通水層内に入り込むことによる防水シートの温度変化を捉えることで防水シートの欠陥を検知することを特徴とする防水シートの欠陥箇所検知方法。
【請求項２】
通気層への冷気の流入は通気層内を減圧することによって吸引して流入させる事を特徴とする請求項１記載の防水シートの欠陥箇所検知方法。
【請求項３】
欠陥検知の対象とする部位が防水シートの接合部である請求項１〜２記載の防水シートの欠陥箇所検知方法。
【発明の詳細な説明】
【技術分野】
【０００１】
本発明は建築物の屋上等に配置される防水シートの欠陥箇所検知方法に関し、防水シートを下地に固定したプレートに接着することで防水シートを下地の固定する防水構造において、防水シート自身や接合部における欠陥箇所を容易に検知をすることができる検知方法に関するものである。
【背景技術】
【０００２】
建築物の屋上における下地、駐車場等の下地やトンネル等の地中構造物の壁面等において、水漏れを防止するためにゴムや樹脂等のエラストマー材料からなる防水シートを敷設するシート防水が行われている。シート防水ではエラストマー製の防水シートを複数枚下地や壁面に敷き詰めてそれぞれを接合することによって水を通すことのない一枚の大きなシートとして構造物全体を覆っている。
【０００３】
但し、防水シート同士の接合部に接合不良があったり、防水シート自身に破損箇所あったような場合は漏水が生じて下地や壁面側に水が浸透してしまう。そこで防水シート自身が破損したり接合部において接合不良であったりするような欠陥箇所があるかどうか、もしあるならばどこにあるのかを特定し、必要に応じて修復する必要がある。
【０００４】
このような漏水の問題に対して例えば産業廃棄物処分場では特許文献１に開示されているように遮水シートを二重に敷設して上層シートと下層シートの間の区画に煙を吹き込むことによって欠陥箇所を有するならその欠陥箇所から煙が立ち昇ることになる。そうすることで欠陥箇所を特定することができるものである。また、特許文献２には上下遮水シート間の区画を真空吸引する。欠陥箇所が存在すればその結果欠陥箇所を通して区画内に外部から空気が流入するが、その際の空気の流入を音として検出し欠陥箇所を検知する方法が開示されている。しかし、通常建築物の屋上に敷設するような防水シートの場合でこのような二重に防水シートを敷設するといったものは知られていない。
【０００５】
一方、防水シートの屋上等の下地への敷設する構造として機械的固定方法がある。機械的固定工法とは浮かし貼り工法とも呼ばれ、防水シートを、接着剤を用いず、ボルト、ネジ又は釘などのアンカー部材により、局所的に下地に対して固定する方法である。
【０００６】
この機械式固定方法において、特許文献３に記載されているように下地に固定プレートをビスなどのアンカー部材で固定し、防水シートを該固定プレートに接着するにおいて、固定プレートとして導電性を有するプレート本体の表面に熱可塑性の樹脂フィルムなどを被覆し、電磁誘導加熱によってプレート本体を加熱して樹脂フィルムを融解させ防水シートと熱融着するといった方法がある。この方法によると熱融着によって簡単に防水シートがお下地に固定できるとともに、防水シートに貫通孔をあけることなく防水シートの下地への固定を行うことができ、漏水に対する信頼性の高い機械式固定工法とすることができる。
【０００７】
【特許文献１】特開平１１−１０１０７号公報
【特許文献２】特開平６−２９４６９９号公報
【特許文献３】特開平９−１５８４０８号公報
【発明の開示】
【発明が解決しようとする課題】
【０００８】
特許文献１に開示する方法は上層シートと下層シートの間に煙を充満させて欠陥箇所から煙が噴出するのを確認する方法であり、防水シートが二重になっていない建築物の屋上等では適用することができない。また特許文献２に開示する方法は、騒音の大きな現場においても欠陥箇所を検知することが困難である。
【０００９】
特許文献３に開示されるような機械式固定工法においても防水シートは１枚を下地に敷設するものであり、やはり特許文献１や特許文献２で開示されているような技術を適用することはできない。
【００１０】
そこで本発明では騒音の大きな現場においても目視で遮水シートの欠陥箇所を検知することができ、しかも防水シートを二重にして敷設することなく欠陥箇所の検知が可能な防水シートの欠陥箇所検知方法を提供することを目的とする。
【課題を解決するための手段】
【００１１】
以上のような目的を達成するために本発明の請求項１では、下地上に敷設された防水シートを下地に固定したプレートに接着することによって、防水シートを下地に固定する防水構造における防水シートの欠陥箇所検知方法において、防水シートの一部を下地と密着させることにより防水シートと下地との間に通気層を形成し、該通気層内部に冷気を強制的に流入させている状態で防水シートの表面温度をサーモグラフィによって観察し、欠陥箇所から外気が通水層内に入り込むことによる防水シートの温度変化を捉えることで防水シートの欠陥を検知することを特徴とする。
【００１２】
請求項２では、通気層への冷気の流入は通気層内を減圧することによって吸引して流入させる事を特徴とする請求項１記載の防水シートの欠陥箇所検知方法としている。
【００１３】
請求項３では欠陥検知の対象とする部位が防水シートの接合部である請求項１〜２記載の防水シートの欠陥箇所検知方法としている。
【発明の効果】
【００１４】
請求項１によると、防水シートの一部を下地に密着させることで防水シートと下地との間で密閉した通気層を形成することができ、防水シートに欠陥箇所がある場合は、通気層内部の冷気の流れにのって欠陥箇所から外部の空気が通気層内に流入し、その結果欠陥箇所における上部防水シートの温度が変化するのでサーモグラフィによってその変化を捉えることによって防水シートの欠陥箇所を検知することができる。
【００１５】
請求項２では、通気層の内部が減圧されていることから防水シートに欠陥がある場合により多くの外気を通気層内に取り込むことができ、小さな欠陥であっても容易に欠陥箇所の特定を行うことができる。
【００１６】
請求項３では接合部においては特に欠陥が発生しやすいことから本欠陥検知方法による効果が顕著に得られる。
【発明を実施するための最良の形態】
【００１７】
以下、添付図面にしたがって本発明の具体的な実施態様を説明する。図１は、防水シートを機械式固定方法で下地に固定したところを示す断面図である。この防水シートの下地への固定は下地に固定したプレートに防水シートを熱風や電磁誘導加熱で熱融着したり接着剤を用いて接着する等の方法で固定されたものであり、例えば次のような要領で行われる。
【００１８】
防水シートを敷設しようとするコンクリートなどからなる下地１に、固定プレート２をアンカー部材３で所定間隔をもって固定配置する。配置する固定プレート２を数は、下地１の状態にもより、特に決まった数があるわけではないが、防水シート４が風などの影響で浮き上がったりしないように十分に下地１に固定される必要があり、通常１〜４個／ｍ2程度の範囲で均等に配置する。
【００１９】
固定プレート２を配置したら、次に防水シート４をその上から覆い被せるように配置する。防水シート４は、１〜２ｍ幅のシートをジョイントし、現場の広さの防水シート４を形成し全面に配置する。防水シート４は通常は全面に配置するものであるが必ずしも全面に配置する必要があるというわけではなく部分的な配置であっても構わない。
【００２０】
そして、固定プレート２は少なくとも防水シート４側の上面を熱可塑性樹脂からなる被覆材６で被覆したものであり、例えば図２にしめすように上下面とも熱可塑性の被覆材６で覆われており、防水シート４と重なっている部分で、防水シート４の上から電磁誘導加熱機Ｄで金属製のプレート本体５を加熱して表面に被覆材６を融解することによって防水シート４に孔を開けることなく固定プレート２を融着固定する。
【００２１】
このようにして機械式固定方法により防水シート４を部分的に下地１に固定した防水構造において、本発明の防水シートの欠陥箇所検知方法では、まず防水シート４の周縁を下地に接着剤７等で接着してしまうことで図３に示すように防水シート４と下地との間に密閉された通気層８を形成する。
【００２２】
形成された通気層８に二つの孔９、１０を設けて、一方の孔９には冷気を発生させる装置１１を接続し、他方の孔１０には真空ポンプ１２等を接続する。真空ポンプ１２で通気層８内部を減圧することによって孔９から冷気が流入（図中矢印方向）して通気層８の内部が冷気で満たされて防水シート４は冷却される。
【００２３】
また、防水シート４に破損等の欠陥箇所Ｋがあった場合、通気層８内部は減圧されていることから前記欠陥箇所Ｋより外気が流入することになる。外気は通気層８内を満たしている冷気と比べると高温なので外気が流入した欠陥箇所Ｋ付近において他の部分よりも温度の高い領域ができる。それに伴って防水シート４の表面温度も欠陥箇所Ｋ付近で他の部分よりも高温になり、その結果サーモグラフィ１３を用いて外部から防水シート４の表面を観察すると他の部分よりも高温の領域として欠陥箇所を特定することができる。
【００２４】
例えばこのような方法で防水シートの欠陥箇所Ｋを検知することができる。防水シート４を敷設する下地が広い場合は、防水シート４の下地１に接着する部分を適宜増やして通気層８を複数の区画に分け、その区画単位で密閉して減圧してもよい。そして減圧した区画において、真空ポンプ１２で通気層８の内部を減圧して冷気を流入させ、サーモグラフィ１３によって防水シート４の温度変化を観察する。そして、一つの区画が終われは次の区画で欠陥箇所の検知を行い同様の作業を繰り返すことになる。
【００２５】
以上では通気層８内を真空ポンプ１２にて減圧する方法で説明した。通気層８の内部を減圧することによって、冷気の流入がより効率よく行われるとともに欠陥箇所Ｋにおける外気の流入もしやすく、防水シート４の欠陥である貫通孔や接合部１４における不良等の欠陥箇所が小さく漏れがわずかであるような場合であっても効果的に検知することができるという利点がある。
【００２６】
また、通気層８内を減圧しなくても冷気発生装置１１側で冷気を圧入することによっても通気層８内を冷気で満たすことはでき、防水シート１の温度を低下させることはできる。そして一方の孔１０から冷気発生装置にて圧入された冷気が通気層８内を満たし余分の冷気が他方の孔９側から排出されている状態において、通気層８内は冷気が流れており、その様な状況下で防水シート４自身に孔があったり、接合部１４において不良があったりした場合、やはりその欠陥箇所Ｋから外気が冷気の流れに乗って通気層８内に吸い込まれる。そうすると後は同様であり、欠陥箇所Ｋから吸い込まれた外気で欠陥箇所Ｋ付近の防水シート４の温度が上昇するのでサーモグラフィ１３で防水シート４の温度を観察することで周囲との温度差で欠陥箇所Ｋを特定することができるようになる。
【００２７】
サーモグラフィ１３は例えば検査対象物からの赤外線を検出するセンサとそれを電気信号等で処理する部分やデータを記憶する部分、そして検出結果を表示する部分等からなり、本発明においては防水シート４にセンサを有するカメラを向けることによって防水シート表面の温度分布を検出することができるものである。
【００２８】
本発明の方法では欠陥箇所の有無および欠陥箇所がある場合の場所の特定を目視で容易に行うことができるので騒音の大きい現場であっても検知漏れを生じることがなく、確実な検査を行うことができる。
【００２９】
防水シート４の素材として用いられるものは、エチレンプロピレンジエンモノマー（ＥＰＤＭ）、イソプレン・イソブチレン共重合体（ＩＩＲ）、ＨＤＰＥ（高密度ポリエチレン）、ＬＤＰＥ（低密度ポリエチレン、ＰＰ（ポリプロピレン）、ＴＰＯ（サーモプラスチックオレフィン）等が挙げられ、耐候性に優れるとともに良好なゴム弾性を有するＥＰＤＭが好ましい。
【００３０】
防水シート４の素材としてはＥＰＤＭ（エチレンプロピレンゴム）、ＨＤＰＥ（高密度ポリエチレン）、ＬＤＰＥ（低密度ポリエチレン、ＰＰ（ポリプロピレン）、ＴＰＯ（サーモプラスチックオレフィン）等が用いられる。そして厚みは０．８〜３．０ｍｍの範囲で用いられ、０．８ｍｍ未満であると強度不足で防水シート破損が起こりやすくなり、３．０ｍｍを超えると接合部の段差が大きくなるので水密上好ましくない。
【００３１】
以上のような構成を採ることによって、目視で遮水シートの欠陥箇所を検知することができ、しかも防水シートを二重にして敷設することなく欠陥箇所の検知が可能な防水シートの欠陥箇所検知方法を提供することができる。
【産業上の利用可能性】
【００３２】
建築物の屋上等に機械式固定方法で防水シートを敷設配置する場合において、防水シート同士の接合部の接合不良部分や防水シート自身にピンホールなどの欠陥があるかどうかを確認し、欠陥がある場合にはその場所を特定するといった用途に用いることができる。
【図面の簡単な説明】
【００３３】
【図１】防水シートの固定方法を実施したところの断面図である。
【図２】固定プレートの一例を示す断面図である。
【図３】防水シートと下地との間に通気層を形成したところの断面概要図である。
【符号の説明】
【００３４】
１    下地
２    固定プレート
３    アンカー部材
４    防水シート
５    プレート本体
６    被覆材
７    接着剤
８    通気層
９    孔
１０  孔
１１  冷気発生装置
１２  真空ポンプ
１３  サーモグラフィ
１４  接合部
Ｄ    電磁誘導加熱気
Ｋ    欠陥箇所
【図１】
2006234684.tif 000003
【図２】
2006234684.tif 000004
【図３】
2006234684.tif 000005